(57)【要約】【課題】天井裏等の狭い閉鎖空間であっても挿入可能で配線を探知できる。【解決手段】通線具１は、操作側の支持筒８と、径が次第に小さくなる複数の筒部を伸縮可能に配設した伸縮部９と、を備えた略Ｌ字状の外筒部１１を有する。外筒部１１内を進退可能で先端側にカメラと照明具を備えたケーブル２０の先端と伸縮部９の先端の第五筒部１６とを開口筒部２１で螺合して連結する。ケーブル２０の基部にはカメラで撮影された画像を表示するディスプレイ２３を設けた。支持筒８の基端側でケーブル２０を進退させて伸縮部９の複数の筒部１２〜１６を連動して伸縮させることで、ケーブル２０に可撓性があっても直線状に進退する。天井裏のダウンライトの穴から通線具１の伸縮部９を収縮させた状態で挿入し、伸縮部９を伸張させて配線ケーブルをカメラで撮影し把持する。【選択図】図２
2014193032.tif 000002
【特許請求の範囲】
【請求項１】
操作側の支持筒と径の異なる複数の筒部が伸縮可能に配設された伸縮部とを備えた略Ｌ字状の外筒部と、
該外筒部内を進退可能で先端側にカメラを備えたケーブルと、
前記ケーブルの先端と前記伸縮部の先端の筒部とを連結した開口筒部と、
前記ケーブルに接続されていて前記カメラで撮影された画像を表示するディスプレイとを備え、
前記ケーブルを進退させることで前記伸縮部の複数の筒部を連動して伸縮させるようにしたことを特徴とする通線具。
【請求項２】
前記ケーブルには照明具が設けられている請求項１に記載された通線具。
【請求項３】
前記開口筒部には、把持部材が取り付けられている請求項１または２に記載された通線具。
【請求項４】
前記把持部材はフックまたは磁石部材である請求項３に記載された通線具。
【請求項５】
請求項１乃至４のいずれか１項に記載された前記通線具の伸縮部を収縮させた状態で閉鎖空間の穴に挿入し、
前記カメラで撮影した配線ケーブル等の配線の画像を前記ディスプレイに表示させるようにしたことを特徴とする配線の検知方法。
【請求項６】
前記ケーブルを閉鎖空間内にある伸縮部に押し込むことで前記開口筒部を介して前記複数の筒部を前記ケーブルと共に直線状に伸張させるようにした請求項５に記載された配線の検知方法。
【請求項７】
請求項１乃至４のいずれか１項に記載された前記通線具の伸縮部を収縮させた状態で閉鎖空間の穴に挿入し、
前記ケーブルを伸ばして伸縮部を伸張させて前記カメラで撮影した配線ケーブル等の配線の画像を前記ディスプレイに表示し、
前記開口筒部に設けた把持部材によって前記配線を把持して、前記伸縮部を収縮させて閉鎖空間の穴から外部に持ち出すようにしたことを特徴とする配線の取り出し方法。
【発明の詳細な説明】
【技術分野】
【０００１】
本発明は、例えば天井裏内の配線ケーブル等の各種の配線を検知する通線具と、この通線具を用いた配線の検知方法と配線の取り出し方法に関する。
【背景技術】
【０００２】
従来、既設の電線管の中に新たな電線やケーブル類を通線する手段として、特許文献１に記載された通線用呼び線捕捉工具が提案されている。この通線用呼び線捕捉工具は、一方のマンホールから通線ロッドを電線管内に挿通させて他方のマンホールで通線ロッドの呼び線を引き出して呼び線に新たな電線やケーブル類を接続して、一方のマンホールへ戻すようにしている。
この呼び線捕捉工具は、呼び線をとらえるためのフックを先端に装着した竹の子状の複数の短筒を備えた伸縮部材を先端に備え、更にその後方にカメラ装置、リンク部材、関節部材、長筒等を順次連結して備えている。そして、呼び線捕捉工具の後端部に設けた中空状の取っ手部材内に伸縮部材の先端側の短筒に連結したワイヤを挿入して、ワイヤの進退で伸縮部材を進退させている。
【０００３】
この呼び線捕捉工具では、伸縮部材と取っ手部材の間に設けた関節部材をピニオンの回転によって屈曲可能とし、更にリンク部材を外部に露出する紐の巻き取りによって湾曲状に屈曲させるようにしている。このように、呼び線捕捉工具は屈曲可能な関節部材を備えたことで呼び線を捕捉できるエリアが拡大するとしている。
【０００４】
また、図７に示すように、従来、例えば家屋やマンションの部屋１００の天井裏１０１には例えばメタルケーブル１０４をバインドハンガー１０５で吊るして配設している。しかし、天井裏の仕切り壁に設けた配管１０２から天井裏１０１内に配線ケーブル１０３を挿入する場合、天井裏１０１に配線ケーブル１０３を誘導する配管がないため、配管１０２から天井裏１０１内に配線ケーブル１０３を挿入して天井裏１０１内に落下させていた。そして、作業者が、天井のダウンライトの穴１０６から天井裏１０１にアクセスして配線ケーブル１０３を目視で探して手作業で取り出すことで通線を試みている。
【先行技術文献】
【特許文献】
【０００５】
【特許文献１】特開２００７−３７３６２号公報
【発明の概要】
【発明が解決しようとする課題】
【０００６】
しかしながら、家屋やマンションの部屋１００の天井裏１０１に設けた配管１０２から天井裏１０１内に配線ケーブル１０３を挿入した場合、ダウンライトの穴１０６が小さく天井裏１０１は暗く障害物もあるので、作業者が天井裏１０１に落下した配線ケーブル１０３を探して取り出すことが困難であった。
また、作業者がダウンライトの穴１０６から天井裏１０１にアクセスできない場合には、部屋１００の所有者の了承を得て天井に開口を形成して配線ケーブル１０３の通線を試みているが、配線ケーブル１０３の天井裏での落下位置を室内から検知することが困難であり、配線ケーブル１０３を取り出すために開口を大きく形成せざるを得ないため、その後に修復したとしても工事が煩雑であり、しかも部屋１００内の見栄えが悪かった。
【０００７】
また、上述した呼び線捕捉工具を用いてダウンライトの穴１０６から天井裏の配線ケーブルを捕捉しようとしても、呼び線捕捉工具はその長さが長いため、穴１０６から天井裏に呼び線捕捉工具を挿入することが困難であった。
【０００８】
本発明は、このような課題に鑑み、天井裏等の狭い閉鎖空間であっても挿入可能で配線を探知できるようにした通線具、この通線具を用いた配線の検知方法と配線の取り出し方法を提供することを目的とする。
【課題を解決するための手段】
【０００９】
本発明による通線具は、操作側の支持筒と径の異なる複数の筒部が伸縮可能に配設された伸縮部とを備えた略Ｌ字状の外筒部と、外筒部内を進退可能で先端側にカメラを備えたケーブルと、ケーブルの先端と伸縮部の先端の筒部とを連結した開口筒部と、ケーブルに接続されていてカメラで撮影された画像を表示するディスプレイとを備え、ケーブルを進退させることで伸縮部の複数の筒部を連動して伸縮させるようにしたことを特徴とする。
本発明によれば、天井裏等の閉鎖空間の小さな穴や開口等の狭いスペースであっても通線具の伸縮部を収縮させた状態で挿入可能であり、伸縮部を伸張させて閉鎖空間内の配線等をカメラで撮影することでディスプレイで確認できる。
【００１０】
また、ケーブルには照明具が設けられていてもよい。
閉鎖空間内の配線を照明具で照明してカメラで撮影できる。
【００１１】
また、開口筒部には、把持部材が取り付けられていることが好ましい。
ディスプレイで表示された配線等を把持部材で把持して通線具を引き戻すことで配線等を取り出すことができる。
【００１２】
また、把持部材はフックまたは磁石部材であってもよい。
フックまたは磁石部材によって配線等を把持することができる。
【００１３】
本発明による配線の検知方法は、上述した通線具の伸縮部を収縮させた状態で閉鎖空間の穴に挿入し、カメラで撮影した配線ケーブル等の配線の画像をディスプレイに表示させるようにしたことを特徴とする。
本発明によれば、通線具は支持筒と伸縮部とで略Ｌ字状に形成されているため、伸縮部を収縮させた状態で閉鎖空間の穴に挿入し、カメラで閉鎖空間内に載置された配線を撮影してディスプレイで表示するので、作業者が目視確認できる。
【００１４】
また、ケーブルを閉鎖空間内にある伸縮部に押し込むことで開口筒部を介して複数の筒部をケーブルと共に直線状に伸張させるようにしてもよい。
ケーブルは可撓性により自重で湾曲したりして直進できないが、伸縮部の複数の筒部を押し込んだケーブルによって直線状に伸ばすことができるので、直線状に進退させることができて、操作が容易になる。
【００１５】
本発明による配線の取り出し方法は、上述した通線具の伸縮部を収縮させた状態で閉鎖空間の穴に挿入し、ケーブルを伸ばして伸縮部を伸張させてカメラで撮影した配線ケーブル等の配線の画像を前記ディスプレイに表示し、開口筒部に設けた把持部材によって配線を把持して閉鎖空間の穴から外部に持ち出すようにしたことを特徴とする。
本発明によれば、通線具の伸縮部を収縮させて穴から閉鎖空間内に挿入し、伸縮部を伸張させて配線を探し、通線具のカメラで撮影した配線をディスプレイで確認する。そして、伸縮部の開口筒部に設けた把持部材によって配線を把持し、その後、伸縮部を収縮させて閉鎖空間の穴から引き出すことで配線を取り出すことができる。
【発明の効果】
【００１６】
本発明による通線具は、天井裏等の閉鎖空間の小さな穴や開口等の狭いスペースであっても通線具の伸縮部を収縮させた状態で挿入可能であり、伸縮部を伸張させる等して閉鎖空間内の配線等を探してカメラで撮影することでディスプレイ上で確認できる。しかも、ケーブルが可撓性を有していても複数の筒部を伸張収縮することで直線的に進退させることができるので、操作が容易である。
【００１７】
本発明による配線の検知方法によれば、通線具は支持筒と伸縮部とで略Ｌ字状に形成されているため、伸縮部を収縮させた状態で閉鎖空間の穴に挿入でき、カメラで閉鎖空間内に載置された配線を撮影してディスプレイで表示するので、作業者が容易に目視確認できる。
【００１８】
本発明による配線の取り出し方法によれば、穴から閉鎖空間内に挿入した通線具のカメラで撮影した配線をディスプレイで確認でき、伸縮部の先端の開口筒部に設けた把持部材によって配線を把持して伸縮部と共に閉鎖空間の穴から取り出すことができる。
【図面の簡単な説明】
【００１９】
【図１】本発明の実施形態による通線具を天井裏に差し込んで配線ケーブルを検知する状態を示す説明図である。
【図２】図１に示す通線具の側面図である。
【図３】図２に示す通線具の先端を示す要部断面図である。
【図４】通線具の伸縮部を収縮した状態を示す部分拡大図である。
【図５】通線具の先端に設けた開口筒部にフックまたは磁石部材を装着した状態の斜視図である。
【図６】通線具を天井のダウンライトの穴へ挿入する状態を示す具体例の説明図である。
【図７】従来技術における天井裏に落下した配線ケーブルを検知する状態を示す説明図である。
【発明を実施するための形態】
【００２０】
以下、本発明の実施形態による通線具とこれを用いた天井裏の配線ケーブル取り出し方法について添付の図１〜図６に基づいて説明するが、上述した従来技術と同一または同様な部分や部材には同一の符号を用いて説明する。
図１において、例えば家屋やマンション等の部屋１００の天井裏１０１に設けた配管１０２にはメタルケーブル１０４が天井裏１０１内に進入し、メタルケーブル１０４はケーブル固定部材であるバインドハンガー１０５によって支持され、更に天井裏１０１内から側部に延びて壁面３に設けたモジュラージャック４に連結されている。
【００２１】
また、各部屋の天井裏１０１の仕切り部に設けた配管１０２には、メタルケーブル１０４と共に光ケーブル等の配線ケーブル１０３が挿通されており、この配線ケーブル１０３は端子部分が天井裏１０１内の天井２上に落下している。そして、天井２に予め形成されたダウンライトの穴１０６には本発明の実施形態による通線具１が配設されている。
【００２２】
次に、通線具１について図２から図５により説明する。
図２に示す通線具１は、操作する側に設けた筒状の支持筒８と伸縮可能な伸縮部９とが金属製の曲がり部１０を介して略Ｌ字状に形成されている。これら支持筒８、曲がり部１０、伸縮部９は外筒部１１を構成する。伸縮部９は曲がり部１０に連結された最大径の第一筒部１２、第二筒部１３、第三筒部１４、第四筒部１５、最小径の第五筒部１６が順次小径となって形成され、互いに伸縮可能に接続されている。これら第一〜第五筒部１２〜１６はいずれも円筒状のストレート構造とされている。
なお、伸縮部９は６つ以上の筒部を接続して形成してもよいし、４つ以下の筒部を接続して形成してもよい。また、曲がり部１０について天井２のダウンライトの穴１０６に当たる等し易いため金属製とし、支持筒８と第一乃至第五筒部１２〜１６はカーボン等の強度が高く軽量の材質を用いることが好ましい。
【００２３】
図３は伸縮部９における隣接する筒部同士の接続構造を示すものであり、例えば最小径の第五筒部１６と次に大径の第四筒部１５とにおいて、第四筒部１５の先端にはリング状に内外に突出する先端フランジ部１５ａが形成され、第五筒部１６の後端にはリング状に外側に突出する後端フランジ部１６ｂが形成され、第四筒部１５の先端フランジ部１５ａに第五筒部１６の後端フランジ部１６ｂが係合することで第五筒部１６が第四筒部１５から離脱しないように進退可能に接続されている。
上述の構成は第一筒部１２と第二筒部１３、第二筒部１３と第三筒部１４、第三筒部１４と第四筒部１５との間にも形成されている。そのため、第一乃至第五筒部１２〜１６が最も伸張した接続状態が図２に示すものであり、最も収縮した接続状態が図４に示すように各筒部１２〜１５の先端フランジ部１２ａ、１３ａ、１４ａ、１５ａが互いに当接した構成となっている。なお、第五筒部１６には先端フランジ部は設けられていないので図４に現れない。通線具１は、Ｌ字状の外筒部１１の全長部分のうちの伸縮部９を最も収縮させた状態で、天井２のダウンライトの穴１０６から侵入させて天井裏１０１内に保持することができる。
【００２４】
そして、図２において、支持筒８、曲がり部１０及び伸縮部９はいずれも筒状に形成され、その内部には先端にカメラ１８と照明具１９を内蔵した線状のファイバーケーブル２０が配設されている。図３に示す伸縮部９の先端には第五筒部１６の先端開口から更にファイバーケーブル２０が突出して配設され、第五筒部１６の先端外周面には雄ねじ部１６ｃが形成され、ファイバーケーブル２０の先端外周面にも雄ねじ部２０ａが形成されている。
【００２５】
そして、伸縮部９の先端に装着される開口筒部２１は内部貫通孔が二段に形成され、後端側の内周面には第五筒部１６の雄ねじ部１６ｃに螺合する拡径雌ねじ部２１ａが形成され、先端側の内周面にはファイバーケーブル２０の雄ねじ部２０ａに螺合する小径雌ねじ部２１ｂが形成されている。開口筒部２１の拡径雌ねじ部２１ａと小径雌ねじ部２１ｂが第五筒部１６の雄ねじ部１６ｃとファイバーケーブル２０の雄ねじ部２０ａに螺合することで一体化されている。
そのため、支持筒８の後方において、ファイバーケーブル２０を進退させることで、ファイバーケーブル２０の先端部と伸縮部９の第一から第五筒部１２〜１６が一体に伸縮することになる。
【００２６】
図２において、ファイバーケーブル２０の後端部には、アダプタ２２とディスプレイ２３が連結されている。
また、図３には、ファイバーケーブル２０の先端部に撮影カメラ２５と照明具２６とが配設され、照明具２６で照明した対象物である配線ケーブル１０３の先端を撮影カメラ２５で撮影してファイバーケーブル２０で送信させてディスプレイ２３で画像を表示できる。
【００２７】
また、図５に示す開口筒部２１において、先端面２１ｃには１または複数、例えば４つの孔部２７が形成され、これらの孔部２７には、配線ケーブル１０３の先端部を掴むための把持部材が着脱可能とされている。
把持部材として、例えば図５に示すように磁石部材２８が設けられ、磁石部材２８は、磁性を帯びていて配線ケーブル１０３を吸着する磁石体２８ａと孔部２７へ嵌合される嵌合基部２８ｂとで形成されている。
また、把持部材として、図５に示すようにフック２９を採用してもよい。フック２９は予め先端を折り曲げた配線ケーブル１０３を引っ掛けるフック部２９ａと開口筒部２１の孔部２７に嵌合可能な嵌合基部２９ｂとを有している。
【００２８】
本実施形態による通線具１は上述の構成を備えており、次にその使用方法を説明する。
まず、図１において、部屋１００の天井裏１０１を仕切る壁面に設けられた配管１０２を通して配線ケーブル１０３を天井裏１０１内に侵入させ、天井２に落下させる。次に、通線具１における支持筒８内のファイバーケーブル２０を引き出し、伸縮部９における第一から第四筒部１２〜１５を互いの先端フランジ部１２ａ〜１５ａが当接するように収縮させ且つ第五筒部１６に連結した開口筒部２１が先端フランジ部１５ａに当接するように最短長さに収縮させる。そして、開口筒部２１の孔部２７に例えば磁石部材２８の嵌合基部２８ｂを嵌合させて、通線具１の伸縮部９を天井２に対して図６に示すように斜めにして、天井２に形成されたダウンライトの穴１０６から挿入する。そして、図１に示すように伸縮部９を略水平な状態に保持する。
【００２９】
次に、天井裏１０１内で、ファイバーケーブル２０の照明具２６で周囲を照らし、撮影カメラ２５で天井裏１０１の撮影画像を撮影してディスプレイ２３に表示して配線ケーブル１０３を探す。撮影カメラ２５の撮影方向を変えるには支持筒８を把持して通線具１を旋回させればよい。その際、随時、ファイバーケーブル２０を支持筒８内に押し込んで伸縮部９の第一から第五筒部１２〜１６を伸張させて配線ケーブル１０３を探すことができる。
作業者がディスプレイ２３で配線ケーブル１０３を見つけた場合、ファイバーケーブル２０を支持筒８内に押し込んで通線具１の先端の開口筒部２１を第五筒部１６と共に引き伸ばし、開口筒部２１の孔部２７に嵌合させた磁石部材２８に配線ケーブル１０３を吸着させる。そして、通線具１の伸縮部９を収縮させた後、伸縮部９の姿勢を斜めにしてダウンライトの穴１０６から部屋１００内に戻して配線ケーブル１０３を引き出す。
そして、配線ケーブル１０３を磁石部材２８から外して、壁面に沿わせて例えばモジュラージャック４の配線に接続する。
【００３０】
或いは、モジュラージャック４に接続されたＭＪ用配線ケーブル３１が天井裏１０１内に延びている場合には、再度、通線具１の伸縮部９をダウンライトの穴１０６から天井裏１０１内に挿入する。そして、照明具２６で周囲を照射しながら撮影カメラ２５で撮影し、伸縮部９を旋回させてＭＪ用配線ケーブル３１を探す。
そして、ＭＪ用配線ケーブル３１をディスプレイ２３で見つけると、配線ケーブル１０３と同様に伸縮部９の磁石部材２８で吸着する。その後、ファイバーケーブル２０を支持筒８から引き出して伸縮部９を収縮させて、ダウンライトの穴１０６から引き出すことができる。そして、配線ケーブル１０３とＭＪ用配線ケーブル３１を接続することができる。
【００３１】
なお、配線ケーブル１０３やモジュラージャック４のＭＪ用配線ケーブル３１の先端を予め折り曲げておき、通線具１の開口筒部２１にフック２９を嵌合させてフック２９で配線ケーブル１０３やＭＪ用配線ケーブル３１を引っ掛けて天井裏１０１から部屋１００内に引き込んでもよい。
【００３２】
図６は部屋１００から天井２のダウンライトの穴１０６を通して天井裏１０１内へ通線具１を挿入する際の一例を示すものである。
例えば天井裏１０１の高さを２０ｃｍとし、通線具１の収縮状態での伸縮部９の長さを３０ｃｍ以下とし、ダウンライトの穴１０６の内径を１０ｃｍとする。この場合、通線具１の伸縮部９を天井２に対して４５°の角度で穴１０６内に挿入することで天井裏１０１内に容易に挿入が可能である。
【００３３】
上述のように本実施形態による通線具１によれば、通線具１を略Ｌ字状に形成して伸縮部９を伸縮可能にしたから、伸縮部９を収縮状態にしてダウンライトの穴１０６から天井裏１０１に挿入し、配線ケーブル１０３やＭＪ用配線ケーブル３１を磁石部材２８やフック２９で吸着または係合させ、穴１０６から部屋１００内に容易に取り出すことができる。
しかも通線具１は第一から第五筒部１２〜１６がそれぞれ直線状である上に伸縮部９においてファイバーケーブル２０と第五筒部１６を開口筒部２１で結合したから、ファイバーケーブル２０が可撓性があって湾曲し易くても第一筒部１２〜第五筒部１６を直線状に伸縮させることでファイバーケーブル２０も直線状に伸縮できるので、撮影カメラ２５や磁石部材２８またはフック２９の操作が容易になる。
【００３４】
また、本実施形態による配線ケーブル１０３やＭＪ用配線ケーブル３１の取り出し方法によれば、通線具１の伸縮部９をダウンライトの穴１０６から挿入して、ファイバーケーブル２０を進退させることで伸縮部９の第一から第五筒部１２〜１６を直線状に伸縮させて撮影カメラ２５の撮影画像をディスプレイ２３で観察することで、配線ケーブル１０３やＭＪ用配線ケーブル３１を探知して把持することができる。そのため、ダウンライトの小さな穴１０６から通線具１の伸縮部９を挿入して天井裏１０１内で伸縮部９を直線状に伸縮させて配線ケーブル１０３やＭＪ用配線ケーブル３１の発見と把持と取り込みを容易に行うことができる。
【００３５】
なお、本発明による通線具１や、これを用いた配線ケーブル１０３やＭＪ用配線ケーブル３１の取り出し方法は、上述の実施形態に限定されるものではなく、本発明の要旨を変更しない限り適宜の変更や置換等を採用することができる。
例えば、上述した実施形態では、通線具１で取り出す対象物として配線ケーブル１０３やＭＪ用の配線ケーブル３１等の配線を説明したが、本発明は上述した配線ケーブル１０３、３１に限定されることなく、適宜の配線を探して取り出すことができる。
また、上述の実施形態では、天井裏１０１にダウンライトの穴１０６から通線具１を挿入して配線ケーブル１０３やＭＪ用の配線ケーブル３１を探知するようにしたが、本発明は天井裏１０１での探知に限定されるものではなく、配管内での探知等、適宜の閉鎖空間での配線ケーブル１０３、３１等の各種の配線の検知方法や取り出し方法に適用できる。
【符号の説明】
【００３６】
１  通線具
２  天井
８  本体筒
９  伸縮部
１０  湾曲部
１１  外筒部
１２  第一筒部
１３  第二筒部
１４  第三筒部
１５  第四筒部
１６  第五筒部
２０  ファイバーケーブル
２１  開口筒部
２３  ディスプレイ
２５  撮影カメラ
２６  照明具
２７  孔
２８  磁石部材
２９  フック
３１  ＭＪ用配線ケーブル
１００  部屋
１０１  天井裏
１０２  配管
１０３  配線ケーブル
【図１】
2014193032.tif 000003
【図２】
2014193032.tif 000004
【図３】
2014193032.tif 000005
【図４】
2014193032.tif 000006
【図５】
2014193032.tif 000007
【図６】
2014193032.tif 000008
【図７】
2014193032.tif 000009